(57)【要約】【課題】室内全般の照明を行うことができるとともに、目的に応じて簡単に光の照射方向を変えることができ、照明効果の多様性を実現し得る照明装置を提供することを目的とする。【解決手段】本発明は、装置本体２と、この装置本体２に設けられ、光源８を有する光源ユニット３と、この光源ユニット３を駆動し、光源ユニット３からの光の照射方向を可変する駆動手段４と、この駆動手段４に接続されたリモコン信号受信部１１と、このリモコン信号受信部１１に駆動信号を送信するリモコン送信器７と、前記装置本体２を覆う透光性のカバー６とを備える天井直付け形照明装置１である。【選択図】図１
2009289709.tif 000002
【特許請求の範囲】
【請求項１】
装置本体と；
この装置本体に設けられ、光源を有する光源ユニットと；
この光源ユニットを駆動し、光源ユニットからの光の照射方向を可変する駆動手段と；
この駆動手段に接続されたリモコン信号受信部と；
このリモコン信号受信部に駆動信号を送信するリモコン送信器と；
前記装置本体を覆う透光性のカバーと；
を具備することを特徴とする天井直付け形照明装置。
【請求項２】
装置本体と；
この装置本体に設けられ、光源を有する複数の光源ユニットと；
この光源ユニット間を仕切るように配設された反射体と；
前記光源ユニットを駆動し、光源ユニットからの光の照射方向を可変する駆動手段と；
この駆動手段に接続されたリモコン信号受信部と；
このリモコン信号受信部に駆動信号を送信するリモコン送信器と；
前記装置本体を覆う透光性のカバーと；
を具備することを特徴とする照明装置。
【発明の詳細な説明】
【技術分野】
【０００１】
本発明は、一般住宅用の照明に適する照明装置に関する。
【背景技術】
【０００２】
近年、ＬＥＤ等の発光素子を用いた照明装置が開発されており、そして、この発光素子からの光の照射方向を変える照明装置の提案がなされている。例えば、特許文献１には、ダウンライトやスポットライトに用いられ、１個の光源からなるＬＥＤの光の照射方向を摘み部を指先で摘んで動かし、所望の方向に照明を行える照明器具が示されている。また、特許文献２には、ノブをスライドさせてＬＥＤの照射方向を変えるようにし、マップランプ・ルームランプとして使用でききる車両用照明装置が示されている。さらに、特許文献３には、ＬＥＤのその光の強い指向性から、ＬＥＤが照明器具本体の正面方向とは異なる方向に照射するようにし、輝度を下げ、必要とされる照度を得ることができる照明器具が示されている。さらにまた、特許文献４には、レバーを操作することにより、複数のＬＥＤ光源による照射方向を変えることができる棚下灯型の照明器具が示されている。また、蛍光灯とスポットライトを組合せた照明器具等もある。
【特許文献１】特開２００７−１７９９０６号公報
【特許文献２】特開２００７−３０２０５４号公報
【特許文献３】特開２００７−２６５６４６号公報
【特許文献４】特開２００６−１１４２３７号公報
【発明の開示】
【発明が解決しようとする課題】
【０００３】
しかしながら、特許文献１乃至４には、いずれにも天井直付け形照明装置において、照射方向をリモコンによる遠隔操作で場面に応じて変えることができ、簡単に照明効果の多様性を得られるという開示はない。加えて、特許文献１では、あくまででも、１個の光源からなるＬＥＤの照射方向を直接手動により変えて、スポット照明的に使用するものであり、例えば、室内全般の照明を行うものではない。また、特許文献２においても特許文献１と同様に、ＬＥＤの照射方向を直接手動により変えて、スポット照明的に使用するものである。さらに、特許文献３では、照明器具本体の設置の際に照射方向を設定するものであり、設置後に照射方向を変えられるようにしたものではない。さらにまた、特許文献４では、棚下灯型の照明器具であり、同様に、ＬＥＤの照射方向を直接手動により変えて、スポット照明的に使用するものであり、室内全般の照明を行うものではない。
【０００４】
本発明は、上記状況に基づきなされたもので、室内全般の照明を行うことができるとともに、目的に応じて簡単に光の照射方向を変えることができ、照明効果の多様性を実現し得る照明装置を提供することを目的とする。
【課題を解決するための手段】
【０００５】
請求項１に記載の天井直付け形照明装置は、装置本体と；この装置本体に設けられ、光源を有する光源ユニットと；この光源ユニットを駆動し、光源ユニットからの光の照射方向を可変する駆動手段と；この駆動手段に接続されたリモコン信号受信部と；このリモコン信号受信部に駆動信号を送信するリモコン送信器と；前記装置本体を覆う透光性のカバーと；を具備することを特徴とする。
【０００６】
本発明及び以下の発明において、特に指定しない限り用語の定義及び技術的意味は次による。光源は、ＬＥＤや有機ＥＬ等の固体発光素子を用いるのが好適であるが、これに限らず、冷陰極放電ランプ等を用いてもよい。固体発光素子を用いる場合、その実装は、チップ・オン・ボード方式や表面実装方式によって実装するのが好ましいが、本発明の性質上、実装方式は特に限定されず、砲弾型のＬＥＤを用いて基板に実装してもよい。また、発光素子の実装個数には特段制限はない。さらに、複数の発光素子を並列に複数配設して直線状や曲線状に光源ユニットを構成してもよい。
【０００７】
請求項２に記載の照明装置は、装置本体と；この装置本体に設けられ、光源を有する複数の光源ユニットと；この光源ユニット間を仕切るように配設された反射体と；前記光源ユニットを駆動し、光源ユニットからの光の照射方向を可変する駆動手段と；この駆動手段に接続されたリモコン信号受信部と；このリモコン信号受信部に駆動信号を送信するリモコン送信器と；前記装置本体を覆う透光性のカバーと；を具備することを特徴とする。
【０００８】
照明装置には、天井直付け形照明装置は勿論のこと、車両に取付けられるルームランプ等を含むものである。反射体は、特段その形状や大きさに限定されず、光源ユニット間を仕切る機能を備えていればよい。透光性のカバーは、カバーの一部又は全域に亘って光拡散作用を有していてもよい。
【発明の効果】
【０００９】
請求項１に記載の発明によれば、室内全般の照明を行うことができるとともに、リモコン送信器を操作することにより、目的に応じて、簡単に光の照射方向を変えることができ、照明効果の多様性を実現し得る。さらに、１台の照明装置で、全般照明とスポット照明を備えた照明装置を提供することができる。
【００１０】
請求項２に記載の発明によれば、リモコン送信器を操作することにより、目的に応じて、簡単に光の照射方向を変えることができ、照明効果の多様性を実現し得る。また、反射体は、光源ユニットを仕切るように配設されているので、照射効率を良好なものとすることができる。
【発明を実施するための最良の形態】
【００１１】
以下、本発明の第１の実施形態に係る照明装置ついて図１乃至図７を参照して説明する。図１は、照明装置の側断面図、図２は、同平面図、図３は、光源ユニットを示す側面図及び平面図、図４は、照明装置のブロック構成図、図５及び図６は、同側断面図、図７は、同使用態様を示す説明図である。
【００１２】
図１及び図２において、天井直付け形照明装置１は、本体２、この本体２に設けられた光源ユニット３、光源ユニット３を駆動する駆動手段４、光源ユニット３からの光を反射して所定の配光をなす反射体５、本体２を覆う透光性のカバー６及びリモコン送信器７を備えている。まず、本体２は、板金製であり、略正方形状をなし、周縁部２ａを枠状に形成し、中央部を開口２ｂしている。この開口２ｂには、天井面Ｃに据付けられている引掛けシーリングＣｃが嵌合し、図示しないアダプタが引掛けシーリングＣｃに結合することにより、本体２が天井面Ｃに固定されるようになっている。なお、この本体２の材質、形状等は特段限定されるものではない。
【００１３】
次に、本体２内の両側には長尺状の一対の光源ユニット３が設けられている。光源ユニット３は、箱状をなし一面を開口したケース３ａと、このケース３ａ内に光源として直線状に配設された複数の発光素子を備えている。この発光素子は、ＬＥＤチップ８であり、基板に直線状に表面実装され、この基板が実装面をケース３ａの開口、すなわち、照射面３ｂに向けて、ケース３ａ内に収納されている。そして、各ＬＥＤチップ８と対向して、光を効率的に取り出すためのレンズ８ａが形成されている。さらに、光源ユニット３の両端には、回転軸９が突出して設けられており、一方の回転軸９ａは、駆動手段４と連結しており、他方の回転軸９ｂは、側面Ｌ字状の回転軸支持板１０に回転可能に支持されている。そして、光源ユニット３は、その照射面３ｂ、つまり、ＬＥＤチップ８からの出射光が互いに内側に、かつ所定角度斜め下方に向くように配置設定されており、これをホームポジションとしている（図１参照）。
【００１４】
駆動手段４は、例えば、モータ、歯車、カム等から構成される駆動機構からなり、筐体４ａ、４ｂ内に収納されている。また、この一方の筐体４ａ内には、リモコン信号受信部１１等も併せて収納されている。これら、一対の光源ユニット３、駆動手段４、回転軸支持板１０は、１８０度回転対象に配置されている。
【００１５】
反射体５は、光源ユニット３、３間に配設されており、板金製であり、側面形状が略Ｖ字状に構成されている。具体的には、Ｖ字状の両端側５ａを本体２に取付け、この両端側からテーパ状に反射面５ｂを形成し、その衝突部を谷間の頂点５ｃとして構成している。この頂点５ｃは、光源ユニット３、３の照射面３ｂより、下方に所定寸法Df突出しており、つまり、反射体５は、光学的に光源ユニット３、３を２分して仕切るように配設されている。なお、頂点５ｃは、光源ユニット３、３の照射面３ｂより、下方に突出していることが好ましいが、必ずしも突出していなくてもよく、照射面３ｂの近傍の位置でもよい。また、この略Ｖ字状の反射体５の内側の空間を利用して引掛けシーリングＣｃ及び本体２に取付けられた点灯回路１２が配置されている。
【００１６】
点灯回路１２は、前記ＬＥＤチップ８が実装された基板に電力を供給し、ＬＥＤチップ８を点灯制御するものであり、回路基板にコンデンサやスイッチング素子としてのトランジスタ等の部品を実装して構成されている。なお、この点灯回路１２は、光源ユニット３のケース３ａ内に設けるようにしてもよい。
【００１７】
透光性のカバー６は、アクリル製で乳白色に形成され、本体２の全面を覆うように、本体２の周縁部２ａに係合して取付けられている。なお、このカバー６の内面には、光の拡散と透過をコントロールするため、適宜ドットパターン等を形成するのが好ましい。  リモコン送信器７は、赤外線式であり、その操作により赤外線信号をリモコン信号受信部１１に送信し、光源ユニット３からの光の照射方向を変えたり、ＬＥＤチップ８の点灯／消灯を制御したりする機能を有する。
【００１８】
次に、図３は、光源ユニット３の照射面３ｂを下方に向けた場合を示している。図３（ａ）は側面図、図３（ｂ）は平面図である。図示から明らかなように、光源ユニット３には直線状にＬＥＤチップ８が配設されており、このＬＥＤチップ８に対向してレンズ８ａが形成されている。また、光源ユニット３の両端には、回転軸９が設けられており、回転軸９ａは、駆動手段４と機械的に連結しており、回転軸９ｂは、回転軸支持板１０に回転可能に軸支されている。
【００１９】
図４において、筐体４ａ内には、リモコン信号受信部１１と、このリモコン信号受信部１１に接続された制御回路１３、この制御回路１３に接続された駆動手段４が配設されている。そして、駆動手段４は光源ユニット３の回転軸９と機械的に連結されている。また、リモコン信号受信部１１は、リモコン送信器７からの信号を受信して動作するようになっており、点灯回路１２は、制御回路１３及び光源ユニット３と電気的に接続されている。一方、筐体４ｂには、駆動手段４のみが設けられており、この駆動手段４は、前記制御回路１３と接続されており、前記リモコン送信器７からの信号をリモコン信号受信部１１、制御回路１３を経由して受信するようになっている。
【００２０】
次に、本実施形態の使用状態の動作を説明する。まず、リモコン送信器７を操作して、光源ユニット３を点灯する。この場合は、リモコン送信器７からの信号がリモコン信号受信部１１、制御回路１３、点灯回路１２へ送信され、光源ユニット３が点灯する。光源ユニット３から斜め下方に照射される光の多くはカバー６を通過して、例えば、室内全般を照明する。また、光源ユニット３から水平方向、すなわち、横方向に照射される一部の光は、反射体５の反射面５ｂに反射され、カバー６を通過して、室内に向けて前方に照射される。このとき、反射体５の頂点５ｃは、光源ユニット３、３の照射面３ｂより、下方に突出して光源ユニット３、３を仕切るように配設されているので、この構造により、光源ユニット３から横方向に照射される光のほとんどが前方へ照射されることになり、光の照射効率を良好なものとすることができる。
【００２１】
続いて、リモコン送信器７を操作して、光源ユニット３の光の照射方向を変える場合について説明する。一対の光源ユニット３、３は、それぞれ個別に照射方向を変えることができ、個別に駆動可能になっている。つまり、駆動する光源ユニット３をリモコン送信器７で選択することができる。そして、その駆動範囲、すなわち、回動範囲は、約１８０度の範囲で自由に可変することができるようになっている。まず、光源ユニット３を全般照明のホームポジション（図１参照）から、スポット照明に変える場合には（図５参照）、照射面３ｂを下方に向けた状態とし、照射方向を変える。リモコン送信器７で、当該操作をすると、リモコン送信器７からの信号がリモコン信号受信部１１、制御回路１３、駆動手段４へ送信され、これによりモータ等の駆動機構が動作し、光源ユニット３が回転軸９を中心に所定角度回動し、照射面３ｂが下方に向いた位置で停止する。これにより指向性の強い光が直下に照射され、スポット照明としての機能を実現することができる。
【００２２】
また、光源ユニット３を全般照明のホームポジション（図１参照）から、一方の光源ユニット３を外側斜め下方に光が照射するように変えるには（図６参照）、リモコン送信器７で一方の光源ユニット３を選択し、当該操作を行う。この操作に伴う動作は、前記と同様である。これにより一方の光源ユニット３からの照射光は、カバー６の側面を通過して、外方へ向かい、他方の光源ユニット３からの照射光は、全般照明の役割を担うこととなる。したがって、このような照明形態を図７に示すように、テレビを見る場合などに適用すれば、全般照明を確保しつつ、テレビと周囲の明るさの差を小さくすることができ、正常な眼の働きが阻害されることがない等、効果的な照明を実現できる。さらに、上述の照明形態に限らず、光源ユニット３からの光の照射方向を目的に応じて自由に、多様に変えることができ、空間照明の演出、照明効果の多様化を実現できる。
【００２３】
なお、上記実施形態では、光源ユニット３の向きを約１８０度の範囲で自由に可変することができるものについて説明したが、予め可変角度を、例えば、下向き、右４５度、左４５度等、設定しておいてもよい。また、リモコン送信器７は、無線によるものに限らず、有線のものであってもよい。要は、遠隔操作により簡単に照射方向を変えることができるようにしたものであればよい。さらに、一対の光源ユニット３、３がそれぞれ個別ではなく、同期して駆動するように構成することを妨げるものではない。さらにまた、光源ユニット３のうち、例えば、１個のＬＥＤチップ８を点灯できるようにして常夜灯の機能を付与してもよい。この場合も、照射方向を変えることにより、所望の場所を中心に照らすなど多様な変化が可能である。
【００２４】
以上のように本実施形態によれば、室内全般の照明を行うことができるとともに、目的に応じて、リモコン送信器７を操作することにより、簡単に光の照射方向を変えることができ、照明効果の多様性を実現し得る。これは、単なる照明からその時々の場面に応じた空間照明の演出を可能とするもので、使用者にとって従来にない付加価値を獲得することができる。さらに、１台の照明装置で、全般照明とスポット照明を備えた照明装置を提供できる。また、反射体５は、光源ユニット３、３を仕切るように配設されているので、照射効率を良好なものとすることができる。
【００２５】
次に、本発明の第２の実施形態に係る照明装置について図８を参照して説明する。図８は、照明装置の側断面図である。なお、以降第１の実施形態と同一又は相当部分には同一符号を付し、重複した説明は省略する。本実施形態では、カバー６の両側面と下面両側に光源ユニット３、３に対向して配光制御部材として集光レンズ部材Lを設けたものである。
【００２６】
本実施形態によれば、前述のスポット照明（図５参照）や斜め下方に向けて照射する場合、光源ユニット３、３からの光が集光レンズ部材Lを透過して照射されるため、その配光制御により指向性、集光性を高めることができる。したがって、前述の図７に示すような照明形態では、テレビの背景側の照度を高め、画面周辺の照度を低く押さえることができ、一層照明光の画面への映り込み等を抑制することができる。
【００２７】
次に、本発明の第３の実施形態に係る照明装置について図９を参照して説明する。図９（ａ）は、照明装置の側断面図、図９（ｂ）は、光源ユニットを示す平面図である。本実施形態では、一対の光源ユニット３-2を直線状に、かつ相互の照射角度を変えて配設し、これをホームポジションとしたものである。そして、各光源ユニット３-2は、個別に照射方向を変えることができるようになっている。
【００２８】
本実施形態によっても室内全般の照明を行うことができるとともに、目的に応じて、リモコン送信器７を操作することにより、簡単に光の照射方向を変えることができ、照明効果の多様性を実現し得る。
【００２９】
次に、本発明の第４の実施形態に係る照明装置について図１０を参照して説明する。図１０は、照明装置の概略平面図である。本実施形態では、光源ユニット３-3を四角形状の４辺に配設したものである。反射体５は、光源ユニット３-3の内側に配置され、側面略Ｖ字状で、全体としては四角錐形状をなしている。本実施形態によっても第１の実施形態と同様な効果を奏することができる。
【００３０】
続いて、本発明の第５の実施形態に係る照明装置について図１１を参照して説明する。図１１は、照明装置の概略平面図である。本実施形態では、光源ユニット３-4を八角形の各辺に配設したものである。反射体５は、八角錐状をなしている。このように多角形状の各辺に光源ユニット３-4を配置して構成することもできる。本実施形態によっても第１の実施形態と同様な効果を奏することができる。
【００３１】
次に、本発明に係る光源ユニットの他の実施形態について図１２乃至図１４を参照して説明する。図１２は、実施例１の光源ユニットを示す斜視図、図１３は、実施例２の光源ユニットを示す斜視図及び動作説明図、図１４は、実施例３の光源ユニットを示す斜視図及び動作説明図である。
【００３２】
（実施例１）図１２において、複数個のＬＥＤチップ８が細長の基板８ｂに実装されており、さらに、基板８ｂの実装面上には、透光性のレンズ８ａが設けられている。そして、基板８ｂの裏面側には、この基板８ｂの裏面と全面に亘って接触し、熱的に結合された熱伝導性の歯車機構Ｇが取付けられている。この歯車機構Ｇは、前述の駆動手段４の駆動機構と機械的に連結されるもので、光源ユニット３を回動動作させる機能を担うものである。なお、歯車機構Ｇは、必ずしも基板８ｂの裏面全面に亘って設ける必要はない。駆動機構との連結に必要な部分のみに設けるようにしてもよい。
【００３３】
本実施例によれば、ＬＥＤチップ８から発生する熱を基板８ｂを介して歯車機構Ｇに伝導することができ、この歯車機構Ｇの表面より放熱をすることができる。したがって、ＬＥＤチップ８の温度上昇を効果的に抑制することができる。
【００３４】
（実施例２）図１３において、本実施例の光源ユニット３は、光源として冷陰極放電ランプCCFLを用い、反射板Rを備えている。反射板Rは矢印で示すように回動動作できるように構成されており、光の照射方向を変える場合には、リモコン送信器７を操作し反射板Rを所定の角度で回動する。図１３（ａ）に示す状態では、放電ランプCCFLからの光は、図示上、左方向に照射される。この状態から反射板Rを反時計方向に９０度回動させると、図１３（ｂ）に示すように、光は下方へ照射される。さらに、９０度回動させると、図１３（ｃ）に示すように、光は、右方向に照射される。なお、勿論、斜め下方に光が向けられるように反射板Rの回動角度を設定操作することもできる。以上のように本実施例によれば、第１の実施形態と同様な効果を奏することができる。
【００３５】
（実施例３）図１４において、本実施例の光源ユニット３は、実施例２における冷陰極放電ランプCCFLと反射板RとをランプソケットLSを介して一体化したものである。つまり、反射板RにランプソケットLSが取付けられている。したがって、反射板Rを矢印で示すように回動動作することにより、これに伴いランプCCFL自体も回動動作される。よって、図１３（ａ）（ｂ）（ｃ）に示すように、実施例２と同様にリモコン送信器７による操作により所定の回動動作が可能である。なお、光源として冷陰極放電ランプCCFLに替え、ＬＥＤチップを複数個直線状に並べて構成したものを適用してもよい。以上のような構成によれば、第１の実施形態と同様な効果を奏することができる。
【図面の簡単な説明】
【００３６】
【図１】本発明の第１の実施形態に係る照明装置を示す側断面図である。
【図２】同平面図である。
【図３】同光源ユニットを示す側面図及び平面図である。
【図４】同照明装置のブロック構成図である。
【図５】同側断面図である。
【図６】同じく側断面図である。
【図７】同じく使用態様を示す説明図である。
【図８】本発明の第２の実施形態に係る照明装置を示す側断面図である。
【図９】本発明の第３の実施形態に係る照明装置を示す側断面図及び平面図である。
【図１０】本発明の第４の実施形態に係る照明装置を示す概略平面図である。
【図１１】本発明の第５の実施形態に係る照明装置を示す概略平面図である。
【図１２】本発明に係る光源ユニットの他の実施形態（実施例１）を示す斜視図である。
【図１３】同（実施例２）示す斜視図及び動作説明図である。
【図１４】同（実施例３）示す斜視図及び動作説明図である。
【符号の説明】
【００３７】
１・・・照明装置、２・・・本体、３・・・光源ユニット、
４・・・駆動手段、５・・・反射体、６・・・カバー、
７・・・リモコン送信器、８・・・光源（ＬＥＤチップ、CCFL）、
１１・・・リモコン受信部
【図１】
2009289709.tif 000003
【図２】
2009289709.tif 000004
【図３】
2009289709.tif 000005
【図４】
2009289709.tif 000006
【図５】
2009289709.tif 000007
【図６】
2009289709.tif 000008
【図７】
2009289709.tif 000009
【図８】
2009289709.tif 000010
【図９】
2009289709.tif 000011
【図１０】
2009289709.tif 000012
【図１１】
2009289709.tif 000013
【図１２】
2009289709.tif 000014
【図１３】
2009289709.tif 000015
【図１４】
2009289709.tif 000016